(57)【要約】【課題】発熱板を装着した作用部の長手方向の中心線と被術者の頭髪のパネルの長手方向の中心線の交差角度を、従来のヘアアイロンのように使用者に無理な姿勢を強いることなく、常に直角に保持できるような構成のヘアアイロンを開発する。【解決手段】上下２枚の発熱板が当接する状態で上下２枚の発熱板の当接面を水平に位置させた場合に、発熱板が配設された作用部の長手方向の中心線と、使用者が手に把持する柄部の長手方向の中心線が、平面視で５°〜２５°の範囲の角度をなすように構成されているヘアアイロンを提供する。【選択図】        図１
2007190048.tif 000002
【特許請求の範囲】
【請求項１】
上下２枚の発熱板にて頭髪を挾扼して整髪する整髪用のヘアアイロンにおいて、上下２枚の発熱板が完全に閉じられて当接する状態で上下２枚の発熱板の当接面を水平に位置させた場合に、発熱板が配設された作用部の長手方向の中心線と、使用者が手に把持する柄部の長手方向の中心線が、平面視で５°〜２５°の範囲内の角度をなすように構成されていることを特徴とするヘアアイロン。
【請求項２】
上下２枚の発熱板が完全に閉じられて当接する状態で上下２枚の発熱板の当接面を水平に位置させた場合に、発熱板が配設された作用部の長手方向の中心線と、使用者が手に把持する柄部の長手方向の中心線が、平面視で７°〜１５°の範囲内の角度をなすように構成されていることを特徴とする請求項１に記載のヘアアイロン。
【請求項３】
上下２枚の発熱板が完全に閉じられて当接する状態で上下２枚の発熱板の当接面を水平に位置させた場合に、発熱板が配設された作用部の長手方向の中心線と、使用者が手に把持する柄部の長手方向の中心線が、平面視で８°〜１０°の範囲内の角度をなすように構成されていることを特徴とする請求項２に記載のヘアアイロン。
【発明の詳細な説明】
【技術分野】
【０００１】
本発明は、整髪用のヘアアイロンに関するものであり、さらに詳しくは、上下２枚の発熱板にて頭髪を挾扼して整髪する整髪用のヘアアイロンにおいて、上下２枚の発熱板が完全に閉じられて当接する状態で上下２枚の発熱板の当接面を水平に位置させた場合に、発熱板が配設された作用部の長手方向の中心線と、使用者が手に把持する柄部の長手方向の中心線が、平面視で５°〜２５°の範囲内の角度をなすように構成されていることを特徴とするヘアアイロンに関するものである。
【０００２】
また、上記のヘアアイロンのうち、上下２枚の発熱板が完全に閉じられて当接する状態で上下２枚の発熱板の当接面を水平に位置させた場合に、発熱板が配設された作用部の長手方向の中心線と、使用者が手に把持する柄部の長手方向の中心線が、平面視で７°〜１５°の範囲内の角度をなすように構成されていることを特徴とするヘアアイロンに関するものである。
【０００３】
さらに、上記のヘアアイロンのうち、上下２枚の発熱板が完全に閉じられて当接する状態で上下２枚の発熱板の当接面を水平に位置させた場合に、発熱板が配設された作用部の長手方向の中心線と、使用者が手に把持する柄部の長手方向の中心線が、平面視で８°〜１０°の範囲内の角度をなすように構成されていることを特徴とする請求項２に記載のヘアアイロンに関するものである。
【背景技術】
【０００４】
従来のヘアアイロンの例を、図１１ａ〜図１１ｃ及び図１２ａ〜図１２ｃに示す。図１１ａ〜図１１ｃに示すヘアアイロンＨ１は、柄部Ａ１と作用部Ｎ１から構成されており、柄部Ａ１は棒状の柄Ａ１１と板状の柄Ａ１２からなる。また、作用部Ｎ１は板状の発熱部Ｎ１１、Ｎ１２からなり、発熱部Ｎ１１には発熱板Ｐ１１が、発熱部Ｎ１２には発熱板Ｐ１２が装着されている。発熱板Ｐ１１、Ｐ１２は、図１１ｃに示すように、互いに向かい合うように装着されている。また、柄部Ａ１と作用部Ｎ１は図１４ａに見るように平面視で一直線状に構成されており、柄部Ａ１の中心線と作用部Ｎ１の中心線は共通の中心線ＣＨ１として表示されている。なお、ＣＤは電源コード、作用部Ｎ１のＧ１１、Ｇ１２は断熱性の素材からなる断熱防護体である。
【０００５】
柄部Ａ１の柄Ａ１１と作用部Ｎ１の発熱部Ｎ１２は一体として形成されており、柄部Ａ１の柄Ａ１２と作用部Ｎ１の発熱部Ｎ１１は一体として形成されている。図１１ａ〜図１１ｃに見るように、一体としての柄Ａ１２と発熱部Ｎ１１を作用腕ｒ１１とし、一体としての柄Ａ１１と発熱部Ｎ１２を作用腕ｒ１２とすると、作用腕ｒ１１と作用腕ｒ１２は中間部ｍ１において枢軸ｘ１によって回動自在に枢着されている。したがって、柄Ａ１１と柄Ａ１２を閉じることにより、発熱部Ｎ１１と発熱部Ｎ１２も閉じるように構成されている。なお、作用腕ｒ１１と作用腕ｒ１２は中間部ｍ１に内装されたバネｓ１の作用によって、通常は図１１ｃのように発熱部Ｎ１１と発熱部Ｎ１２が開いた状態になるように付勢されている。
【０００６】
図１２ａ〜図１２ｃには従来のヘアアイロンの別の構成の例を示す。図１２ａ〜図１２ｃに示すヘアアイロンＨ２は、柄部Ａ２と作用部Ｎ２から構成されており、柄部Ａ２は棒状の柄Ａ２１、Ａ２２からなる。また、作用部Ｎ２は板状の発熱部Ｎ２１、Ｎ２２からなり、発熱部Ｎ２１には発熱板Ｐ２１が、発熱部Ｎ２２には発熱板Ｐ２２が装着されている。発熱板Ｐ２１、Ｐ２２は、図１２ｃに示すように、互いに向かい合うように装着されている。また、柄部Ａ２と作用部Ｎ２は図１２ａに見るように平面視で一直線状に構成されており、柄部Ａ２の中心線と作用部Ｎ２の中心線は共通の中心線ＣＨ２として表示されている。なお、ＣＤは電源コード、作用部Ｎ２のＧ２１、Ｇ２２は断熱性の素材からなる断熱防護体である。
【０００７】
柄部Ａ２の柄Ａ２１と作用部Ｎ２の発熱部Ｎ２１は一体として形成されており、柄部Ａ２の柄Ａ２２と作用部Ｎ２の発熱部Ｎ２２は一体として形成されている。図１２ａ〜図１２ｃに見るように、一体としての柄Ａ２１と発熱部Ｎ２１を作用腕ｒ２１とし、一体としての柄Ａ２２と発熱部Ｎ２２を作用腕ｒ２２とすると、作用腕ｒ２１と作用腕ｒ２２は柄部Ａ２の後端部分において枢軸ｘ２によって回動自在に枢着されている。したがって、柄Ａ２１と柄Ａ２２を閉じることにより、発熱部Ｎ２１と発熱部Ｎ２２も閉じるように構成されている。なお、作用腕ｒ２１と作用腕ｒ２２は枢軸ｘ２に巻装されたバネｓ２の作用によって、通常は図１２ｃのように発熱部Ｎ２１と発熱部Ｎ２２が開いた状態になるように付勢されている。
【０００８】
以上に、従来のヘアアイロンの事例を２例紹介したが、その内部構成についての説明は省略した。これは、ヘアアイロンの内部構成は、本発明の要部には関係しないという理由による。なお、ヘアアイロンの内部構成に関しては、下記特許文献１〜３にある程度説明されている。また、発熱部Ｎ１１、Ｎ２１の作動スイッチや温度調節機構についての説明も省略したが、発熱部Ｎ１１あるいは発熱部Ｎ２１の作動スイッチや温度調節機構は柄部Ａ１あるいは柄部Ａ２に組込むか、又は電源コードＣＤの適当な位置に設けられるのが通常である。
【０００９】
ヘアアイロンＨ１の作用を図１３ａ、図１３ｂに示す。使用者Ｃは通常は美容師あるいは理容師であるか、または美容師や理容師の見習い者（学習者）であり、Ｍは頭髪を使用者Ｃに整髪してもらう被術者である。ただし、使用者Ｃが自ら被術者Ｍとなり、自分自身の頭髪をヘアアイロンＨ１を用いて整髪する場合も無論あり得るが、ここでは、使用者Ｃと被術者Ｍが別個である場合を示している。また、図１３ａ、図１３ｂは使用者Ｃが右利きである場合を示すが、使用者Ｃが左利きの場合には、図１３ａ、図１３ｂとは完全に左右対称の図となる。なお、ヘアアイロンＨ２の作用は特に説明しないが、以下に説明するヘアアイロンＨ１の作用と略同様である。
【００１０】
使用者Ｃは、まず、被術者Ｍの頭髪の一部を左手に持つ櫛ＣＭで梳いて平板状の頭髪の束を形成するが、理美容業界にては、この頭髪の束を通常「パネル」と呼称しており、図１３ａ、図１３ｂには符号Ｐにて示している。使用者Ｃは、ヘアアイロンＨ１の柄部Ａ１を右手に把持し、被術者Ｍの頭髪のパネルＰを作用部Ｎ１の発熱部Ｎ１１と発熱部Ｎ１２によって上下から適切な力で挾扼し、挾扼状態を保持したままでヘアアイロンＨ１を手前側、すなわち方向ａに平行移動させる。被術者ＭのパネルＰは発熱部Ｎ１１の発熱板Ｐ１１（図１１ｃ参照）と発熱部Ｎ１２の発熱板Ｐ１２（図１１ｃ参照）に挾扼された状態であるので、パネルＰは上下から熱を加えられ、この熱によってパネルＰを構成する頭髪が櫛ＣＭによって整髪された状態で固定される。使用者Ｃは、ヘアアイロンＨ１を手前側（方向ａ）に平行移動させる速度を調整することにより、パネルＰに加える熱を自在に制御することができるが、通常はヘアアイロンＨ１は櫛ＣＭによってパネルＰを梳る程度の速度で平行移動させられるものである。
【００１１】
この際、ヘアアイロンＨ１を手前側（ａ方向）に平行移動させるときに最も重要になる点は、パネルＰの長手方向の中心線ＣＰとヘアアイロンＨ１の長手方向の中心線ＣＨ１が形成する角度βを、ヘアアイロンＨ１を平行移動させる間中常に直角に保持するということであり（図１３ｂ参照）、理美容業界にては、後輩の指導においてもこの点が強調される。もし、この角度βが図１４ｂに示すように直角から外れてしまうと、ヘアアイロンＨ１の作用部Ｎ１がパネルＰを平面視で斜め方向に挾扼した状態でヘアアイロンＨ１が移動させられることとなる。しかも、未熟者においては、角度βは、使用者Ｃから見てヘアアイロンＨ１が遠方にあるときには大きく、ヘアアイロンＨ１が使用者Ｃに接近するほど小さくなる傾向が一般的に見られる。
【００１２】
このように、角度βが直角から外れたり不安定になったりすると、ヘアアイロンＨ１からパネルＰにかかる力も不安定なものとなる。図１３ｂに示すように角度βを直角に保ったままでヘアアイロンＨ１を手前側（方向ａ）に平行移動させるという理想的な状態においては、ヘアアイロンＨ１の作用部Ｎ１のどの部位をとってもパネルＰにかかる力が均一となるので、パネルＰは図１３ｂに示す状態のように平板状の状態を保持したままで整髪されるが、図１４ｂのように角度βが直角から外れると、作用部Ｎ１からパネルＰに作用する力に回転モーメントが発生して、パネルＰの形態に歪みを生じ、パネルＰを構成する頭髪の分布が偏る原因となる。さらに、角度βが一定しない状態となると、作用部Ｎ１の部位、即ち先端部と後端部においてパネルＰに作用する力が不均一となり、パネルＰを構成する頭髪の分布状態がますます偏って歪みはさらにひどくなる。これらの結果として、図１３ｂに示す状態のようにきれいな平板状の状態を保持することが困難となり、ついにはヘアアイロンＨ１での整髪が不可能な状態にさえなってしまう。そして、このような現象は、未熟者ばかりではなく、かなり習熟した者にもよく見受けられる。すなわち、角度βを常に直角に保持するということは熟練者にとってもなかなか難しいことであると言わざるを得ない。ただ、熟練者においては、角度βが直角からわずかにずれるとすぐに補正をするので、結果としては全体の作業が円滑に行われるが、熟練者においてもこの傾向が頻繁に現れるのは否めないのが現状である。
【００１３】
それでは、なぜ角度βを常に直角に保持するのが困難であるかといえば、その理由は、使用者Ｃの姿勢に依存するところが大きいといわねばならない。すなわち、図１３ａ、図１３ｂに見るように、角度βが直角に保持されている状態においては、使用者Ｃの右手の肘ＥＬが上がり、上腕部ＲＵが高い位置にあって、肩ＳＨ、上腕部ＲＵ、肘ＥＬを結ぶ線は水平に近い状態となっている。しかしながら、この姿勢は、使用者Ｃの自然な姿勢からかなりかけ離れていて無理があり、使用者Ｃには疲労感が大きいものである。したがって、使用者Ｃは無意識に姿勢を自然な姿勢、つまり図１４ａ、図１４ｂに見るような姿勢に近づけようとする。その結果、使用者Ｃの肘ＥＬが下がり、上腕部ＲＵも下がってしまう。
【００１４】
使用者Ｃの姿勢が図１４ａ、図１４ｂのようになると、その結果としてヘアアイロンＨ１の作用部Ｎ１の後端部分（手元に近い方）が使用者Ｃ側に引っ張られることとなり、作用部Ｎ１はパネルＰに対して斜めに位置することになる。すなわち、角度βが直角を保持できなくなって図１４ｂのように大きく開いてしまうこととなる。未熟練者にては、肘ＥＬの下がりが大きく、注意してもすぐに図１３ａのような姿勢になってしまうので、結果として角度βが直角を大きく外れ、パネルＰの形態が崩れて整髪作業は困難なものとなってしまう。熟練者においては、未熟練者ほど極端な姿勢の崩れはなくても、常に図１３ａのような姿勢を保持するのは疲労感が大きく、気を許すと図１４ａのような姿勢になり勝ちであることはかわりがない。
【特許文献１】特開２００１‐１３７０３８号公報
【特許文献２】特開２００３‐２４１２７号公報
【特許文献３】特開２００３‐９３１３２号公報
【発明の開示】
【発明が解決しようとする課題】
【００１５】
叙上から、使用者に無理な姿勢を強いることがなく上記角度βを常に直角に保持できるような構成のヘアアイロンが開発されれば、未熟練者にとってだけではなく、熟練者においても便利な道具となるものであることは想像に難くない。したがって、本発明においては、そのような構成のヘアアイロンを開発し提供することを課題としたものである。
【課題を解決するための手段】
【００１６】
本発明は、上記課題を解決するためになされたものであり、以下に示す解決手段を提供するものである。
＜解決手段１＞
上下２枚の発熱板にて頭髪を挾扼して整髪する整髪用のヘアアイロンにおいて、上下２枚の発熱板が完全に閉じられて当接する状態で上下２枚の発熱板の当接面を水平に位置させた場合に、発熱板が配設された作用部の長手方向の中心線と、使用者が手に把持する柄部の長手方向の中心線が、平面視で５°〜２５°の範囲内の角度をなすように構成されていることを特徴とするヘアアイロン。
＜解決手段２＞
上下２枚の発熱板が完全に閉じられて当接する状態で上下２枚の発熱板の当接面を水平に位置させた場合に、発熱板が配設された作用部の長手方向の中心線と、使用者が手に把持する柄部の長手方向の中心線が、平面視で７°〜１５°の範囲内の角度をなすように構成されていることを特徴とする解決手段１に記載のヘアアイロン。
＜解決手段３＞
上下２枚の発熱板が完全に閉じられて当接する状態で上下２枚の発熱板の当接面を水平に位置させた場合に、発熱板が配設された作用部の長手方向の中心線と、使用者が手に把持する柄部の長手方向の中心線が、平面視で８°〜１０°の範囲内の角度をなすように構成されていることを特徴とする解決手段２に記載のヘアアイロン。
【００１７】
すなわち、本発明においては、柄部と作用部のなす角度、すなわち発熱板が配設された作用部の長手方向の中心線と、使用者が手に把持する柄部の長手方向の中心線の交差角度を従来のヘアアイロンのように０°とするのではなく、一定の範囲内の角度とすることによって図１４ｂに見られるような角度βの直角からの誤差を、この部分で吸収し、結果として作用部の長手方向の中心線がパネルの長手方向の中心線と直交するような構成のヘアアイロンを提供せんとするものである。ちなみに、従来のヘアアイロンは、前記特許文献１〜３に見られるように作用部の長手方向の中心線と使用者が手に把持する柄部の長手方向の中心線の交差角度が０°のものばかりで、本発明における課題を意識して開発されたものは見受けられなかった。
【００１８】
しかしながら、角度βの直角からの誤差の吸収を考える場合、この誤差には個人差があることをまず考慮せねばならない。したがって、上記柄部と作用部のなす角度をどのくらいの角度とすればよいのかは、理論的に決定できるものではなく、多くの事例（ヘアアイロンの使用事例）を比較検討して割り出すのが最も現実に即したやり方であると考えられる。そこで、多くの理美容師やその見習いの人達に、従来のヘアアイロンを用いて実際に整髪作業をやってもらい、その中から、柄部と作用部のなす角度を決めていくこととした。
【００１９】
多くの理美容師やその見習いの人達に、従来のヘアアイロンを用いて実際に整髪作業をやってもらった結果のヒアリングから、柄部と作用部のなす角度の最小値は５°近傍となり、最大値は２５°近傍となった。したがって、柄部と作用部のなす角度の最大の範囲を５°〜２５°とし、この範囲内に入る構成のヘアアイロンを解決手段１の発明とした。
【００２０】
さらに、５°〜２５°の範囲の中でも多くの理美容師やその見習いの人達に好まれた角度の範囲は７°〜１５°の間であったので、柄部と作用部のなす角度がこの７°〜１５°の間に入る構成のヘアアイロンを解決手段２の発明とした。さらにこの中でも、最も多くの理美容師やその見習いの人達に好まれた角度は９°前後であったので、柄部と作用部のなす角度が９°±１°である８°〜１０°の間に入る構成のヘアアイロンを解決手段３の発明とした。
【発明の効果】
【００２１】
本発明の解決手段１〜３の発明によれば、柄部と作用部のなす角度、すなわち発熱板が配設された作用部の長手方向の中心線と、使用者が手に把持する柄部の長手方向の中心線の交差角度を従来のヘアアイロンのように０°とするのではなく、一定範囲の角度とすることによって、使用者の姿勢の崩れから生じる柄部と作用部のなす角度の直角からの誤差がこの部分で吸収されるので、結果として、使用者が楽な姿勢で作業を行っても、作用部の長手方向の中心線がパネルの長手方向の中心線と直交するように保持される。
【００２２】
すなわち、従来のヘアアイロンのように、良好な整髪結果を得るために使用者が不自然な姿勢を強いられるということがなくなり、ヘアアイロンを用いる作業が遥かに楽なものとなった。初心者にとっては、自然な姿勢で高度なヘアアイロンの施術技法が学べるので上達が早く、また熟練者にとっても、これまでのように無理な姿勢を長時間続ける必要がないので疲労感が大幅に軽減され、作業効率の上昇も見られるようになった。
【００２３】
また、本発明においては、解決手段１に記載の角度の範囲内において、殆どの理美容師あるいは理美容師の見習い者の個人的な癖を補うヘアアイロンを見出すことができる。さらに、解決手段２に記載の角度の範囲内において、大部分の理美容師あるいは理美容師の見習い者の個人的な癖を補うヘアアイロンを見出すことができる。またさらに、解決手段３に記載の角度の範囲内において、多くの理美容師あるいは理美容師の見習い者の個人的な癖を補うヘアアイロンを見出すことができるものである。
【発明を実施するための最良の形態】
【００２４】
以下に、発明を実施するための最良の形態を、図面を参照しながら詳細に説明する。なお、以下に説明する実施例１は解決手段１と解決手段２と解決手段３に記載の発明の１実施例であり、実施例２は解決手段１に記載の発明の１実施例であり、実施例３は解決手段１と解決手段２に記載の発明の１実施例であり、実施例４と実施例５は解決手段１に記載の発明の１実施例であり、実施例６は解決手段１と解決手段２と解決手段３に記載の発明の１実施例である。また、以下の実施例１〜実施例６のヘアアイロンはすべて右利き用として構成されているが、左利き用は各実施例の平面図において左右対称として構成されるものである。
【実施例１】
【００２５】
実施例１のヘアアイロン１を、図１ａ〜図３ｂに示す。図１ａはヘアアイロン１の平面図、図１ｂはヘアアイロン１の底面図、図２ａはヘアアイロン１の右側面図、図２ｂはヘアアイロン１の左側面図、図３ａはヘアアイロン１の外観斜視図、図３ｂはヘアアイロン１のコードＣＤ部分までを含めた外観斜視図である。
【００２６】
ヘアアイロン１は、柄部１１と作用部１２から構成されており、柄部１１は棒状の柄１１１と板状で後端部が下方にやや屈曲した柄１１２からなる。また、作用部１２は板状の発熱部１２１、１２２からなり、発熱部１２１の下面には発熱板１２１ａが、発熱部１２２の上面には発熱板１２２ａが装着されている。したがって、発熱板１２１ａ、１２２ａは、図２ａ、図２ｂ、図３ａに示すように、互いに向かい合うように装着されていることになる。
【００２７】
また、柄部１１の中心線Ｃ１と作用部１２の中心線Ｃ２は図１ａ、図１ｂに見るように平面視で角度αをなすように構成されており、ヘアアイロン１にては、角度α＝９°とされている。なお、発熱部１２１の上面は断熱性の素材からなる断熱防護体１２１ｂにより被覆されており、発熱部１２２の下面はやはり断熱性の素材からなる断熱防護体１２２ｂにより被覆されている。また、柄１１１の後端部に接続されているＣＤは電源コードである。
【００２８】
柄部１１の柄１１１と作用部１２の発熱部１２２は一体として形成されており、柄部１１の柄１１２と作用部１２の発熱部１２１は一体として形成されている。図１ａ〜図３ｃに見るように、一体としての柄１１２と発熱部１２１を作用腕Ｒ１１とし、一体としての柄１１１と発熱部１２２を作用腕Ｒ１２とすると、作用腕Ｒ１１と作用腕Ｒ１２は中間部Ｍ１において枢軸Ｘ１によって回動自在に枢着されている。したがって、柄１１１と柄１１２を閉じることにより、発熱部１２１と発熱部１２２も閉じるように構成されている。なお、作用腕Ｒ１１と作用腕Ｒ１２は、中間部Ｍ１に内装されたバネＳ１の作用によって、通常は図２ａ〜図３ａのように発熱部１２１と発熱部１２２が開いた状態になるように付勢されている。
【００２９】
図４ａはヘアアイロン１の作用腕Ｒ１１とＲ１２を閉じた状態を示す。この状態で、作用部１２の発熱部１２１、１２２は閉じられ、発熱板１２１ａと発熱板１２２ａは当接する。しかし、その当接状態を詳細に見ると、当接しているのは発熱板１２１ａの前部１２１ｃと発熱板１２２ａの前部１２２ｃであり、発熱板１２１ａの後部１２１ｄと発熱板１２２ａの後部１２２ｄは若干の空隙を保って相対した状態であるのがわかる。また、バネＳ１は圧縮状態にある。
【００３０】
この状態からさらに柄１１１を方向ｂに、柄１１２を方向ｃに押し込むと、図４ｂに見られるように発熱板１２１ａの後部１２１ｄと発熱板１２２ａの後部１２２ｄが当接し、発熱板１２１ａの下面と発熱板１２２ａの上面は完全に当接して１枚の水平面ＰＬを共有する状態となる。前記解決手段１、２、３に記載の「上下２枚の発熱板が完全に閉じられて当接する状態で上下２枚の発熱板の当接面を水平に位置させた場合」とは、例えば図４ｂに示す状態のことをいうものである。
【００３１】
ヘアアイロン１が図４ａ、図４ｂに示す状態を取り得ることは、本発明の要旨には直接関係しない公知技術で、従来のヘアアイロンは殆どがこのような構成を有している。この点をここに図面をもって特に説明した理由は、解決手段１、２、３に記載の「上下２枚の発熱板が完全に閉じられて当接する状態で上下２枚の発熱板の当接面を水平に位置させた場合」が、具体的にはどのような状態であるのかということを図面を参照しながら詳細に説明するという点に存する。すなわち、解決手段１、２、３に記載の角度限定の意味を明確にせんがために上記説明を行ったものである。
【００３２】
また、ヘアアイロン１の内部構成についても、本発明の要旨には直接関係しないので、その詳細な説明は省略するが、発熱板１２１ａと発熱板１２２ａは夫々内部に図示しないヒーターを有し、この図示しないヒーターと電源コードＣＤは図示しないコードによって結線されていて、電源コードＣＤから供給される電力によって図示しないヒーターが発熱させられる構成となっている。また、柄１１１の下面には、スイッチＳＷが装着されていて（図２ａ、図２ｂ参照）、これにて発熱板１２１ａと発熱板１２２ａの図示しないヒーターに供給される電力を通電状態あるいは通電停止状態にできるように構成されている。さらに、発熱板１２１ａと発熱板１２２ａの温度調節は、図３ｂに見るように、プラグＰＵに付属する温度調節機構ＴＨによって行われる。この点も公知技術であるので、これ以上の説明は省略する。
【００３３】
以下に、図１０ａ、図１０ｂを参照しながらヘアアイロン１の作用について説明する。ヘアアイロン１は、従来のヘアアイロンＨ１（図１１ａ〜図１１ｃ参照）と同様、被術者Ｍの頭髪のパネルＰを作用部１２の２枚の発熱部１２１、１２２の間に挾扼し、ヘアアイロン１全体を方向ａに摺動させることによりパネルＰを適切に加熱し整髪するものである。
【００３４】
この際、図１３ａに見るように、使用者Ｃの姿勢がより自然体に近く、肘ＥＬと上腕ＲＵが肩ＳＨの位置から下がった状態にあると、当然、ヘアアイロン１の柄部１１の長手方向の中心線Ｃ１は図１０ｂに見るようにパネルＰの長手方向の中心線ＣＰとは直交しなくなってしまう。この点は、図１４ｂに示す従来のヘアアイロンＨ１と同様である。
【００３５】
しかしながら、実施例１のヘアアイロン１にては、柄部１１の長手方向の中心線Ｃ１と作用部１２の長手方向の中心線Ｃ２は従来のヘアアイロンＨ１のように１直線状ではなく、角度αをもって屈曲されているため、作用部１２の長手方向の中心線Ｃ２はパネルＰの長手方向の中心線ＣＰと直交する。すなわち、角度βが９０°となる。あるいは、別の言い方をすれば、角度βが９０°となるように角度αが構成されている。
【００３６】
したがって、使用者Ｃは、図１３ａ、図１３ｂに示すような、肘ＥＬと上腕部ＵＲを上げた不自然な姿勢をとることなく、図１０ａ、図１０ｂに示すような自然で楽な姿勢のままで、しかもヘアアイロン１の作用部１２の長手方向の中心線Ｃ２とパネルＰの長手方向の中心線ＣＰのなす角度βを９０°に保持した理想的な状態で、パネルＰの整髪作業を行うことができる。ゆえに、使用者Ｃが未熟練者である場合は無論のこと、使用者Ｃが熟練者であっても、自然で楽な姿勢で作業ができるので、作業効率が上がり、疲労感は減少する。また、使用者Ｃが見習い者であった場合には、無理をすることなく自然な姿勢でヘアアイロンによる整髪作業を学習できるので、学習効率も大幅に上昇する。
【００３７】
なお、実施例１のヘアアイロン１においては、柄部１１の長手方向の中心線Ｃ１と作用部１２の長手方向の中心線Ｃ２の交差する角度αを９°としているが、この９°という角度は、前述のヒアリングのように最も多くの理容師、美容師が最も無理のない自然な姿勢をとれる角度として挙げたものであるので、角度αを９°とした実施例１のヘアアイロン１は、最も多くの理容師、美容師の支持を期待できるものである。
【実施例２】
【００３８】
実施例２のヘアアイロン２は、図５ａ、図５ｂに示すように、柄部２１の長手方向の中心線Ｃ２１と作用部２２の長手方向の中心線Ｃ２２の交差する角度αを５°としたもので、ヒアリングにおいては、理容師、美容師が支持する角度のうちの最小の角度であった。したがって、角度αが５°を下回ると、通常のヘアアイロンＨ１（図１１ａ〜図１１ｃ参照）と使用感は殆ど変わらなくなり、図１３ａに示すような無理な姿勢を使用者Ｃに強いるものとなると考えられる。
【実施例３】
【００３９】
実施例３のヘアアイロン３は、図６ａ、図６ｂに示すように、柄部３１の長手方向の中心線Ｃ３１と作用部３２の長手方向の中心線Ｃ３２の交差する角度αを１５°としたもので、ヒアリングにおいては、大部分の理容師、美容師が支持する角度のうちの最大の角度であった。このα＝１５°という角度を越えると、理容師、美容師の支持は目だって減少する。
【実施例４】
【００４０】
実施例４のヘアアイロン４は、図７ａ、図７ｂに示すように、柄部４１の長手方向の中心線Ｃ４１と作用部４２の長手方向の中心線Ｃ４２の交差する角度αを２０°としたもので、ヒアリングにおいて理容師、美容師が支持する角度のうちの最大の角度であった２５°に近いものである。このα＝２０°という角度を支持する理容師、美容師は余り多くはない。
【実施例５】
【００４１】
実施例５のヘアアイロン５は、図８ａ、図８ｂに示すように、柄部５１の長手方向の中心線Ｃ５１と作用部５２の長手方向の中心線Ｃ５２の交差する角度αを２５°としたもので、ヒアリングにおいて理容師、美容師が支持する角度のうちの最大の角度である。したがって、角度αが２５°を上回ると、使用者Ｃの姿勢には無理が生じてきてかえって作業効率が低下し、疲労感も大きなものとなると考えられる。
【実施例６】
【００４２】
実施例６のヘアアイロン６は、図９ａ、図９ｂに示すように、従来のヘアアイロンＨ２（図１２ａ〜図１２ｃ参照）と同様の構成にて柄部６１の長手方向の中心線Ｃ６１と作用部６２の長手方向の中心線Ｃ６２の交差する角度αを、最も多くの理容師、美容師が支持する角度である９°としたものである。このように、本発明は、あらゆる構成の従来のヘアアイロンに対して応用可能なものであり、実施例１〜実施例６の構成に限定されるものではないことはいうまでもないことである。
【産業上の利用可能性】
【００４３】
叙上のように本発明のヘアアイロンは、理容業界、美容業界において幅広く行われているヘアアイロンによる整髪作業において、作業効率の上昇と使用者の疲労感の大幅な減少を実現し、かつ、理美容術の学習者においても顕著な学習効果を齎すものである。特に、本発明のヘアアイロンの最大の特徴は、本発明の要旨となる構成、すなわち、柄部の長手方向の中心線と作用部の長手方向の中心線の交差角度を５°〜２５°の範囲内のものとするという構成が、従来のあらゆる構成のヘアアイロンに対して応用可能であるという点であり、この点において、産業上多大な貢献が可能であるものといい得る。
【図面の簡単な説明】
【００４４】
【図１】（ａ）本発明の実施例１のヘアアイロンの平面図である。（ｂ）本発明の実施例１のヘアアイロンの底面図である。
【図２】（ａ）本発明の実施例１のヘアアイロンの右側面図である。（ｂ）本発明の実施例１のヘアアイロンの左側面図である。
【図３】（ａ）本発明の実施例１のヘアアイロンの外観斜視図である。（ｂ）本発明の実施例１のヘアアイロンのコード部分までを含めた外観斜視図である。
【図４】（ａ）本発明の実施例１のヘアアイロンを閉じた状態の右側面図である。（ｂ）本発明の実施例１のヘアアイロンを閉じた状態の右側面図である。
【図５】（ａ）本発明の実施例２のヘアアイロンの平面図である。（ｂ）本発明の実施例２のヘアアイロンの底面図である。
【図６】（ａ）本発明の実施例３のヘアアイロンの平面図である。（ｂ）本発明の実施例３のヘアアイロンの底面図である。
【図７】（ａ）本発明の実施例４のヘアアイロンの平面図である。（ｂ）本発明の実施例４のヘアアイロンの底面図である。
【図８】（ａ）本発明の実施例５のヘアアイロンの平面図である。（ｂ）本発明の実施例５のヘアアイロンの底面図である。
【図９】（ａ）本発明の実施例６のヘアアイロンの平面図である。（ｂ）本発明の実施例６のヘアアイロンの底面図である。（ｃ）本発明の実施例６のヘアアイロンの外観斜視図である。
【図１０】（ａ）本発明の実施例１のヘアアイロンの作用を説明する説明図である。（ｂ）本発明の実施例１のヘアアイロンの作用を説明する説明図である。
【図１１】（ａ）従来のヘアアイロンの１例の平面図である。（ｂ）従来のヘアアイロンの１例の底面図である。（ｃ）従来のヘアアイロンの１例の外観斜視図である。
【図１２】（ａ）従来のヘアアイロンの１例の平面図である。（ｂ）従来のヘアアイロンの１例の底面図である。（ｃ）従来のヘアアイロンの１例の外観斜視図である。
【図１３】（ａ）従来のヘアアイロンの１例の作用を説明する説明図である。（ｂ）従来のヘアアイロンの１例の作用を説明する説明図である。
【図１４】（ａ）従来のヘアアイロンの１例の作用を説明する説明図である。（ｂ）従来のヘアアイロンの１例の作用を説明する説明図である。
【符号の説明】
【００４５】
１      ヘアアイロン
１１    柄部
１１１  柄
１１２  柄
１２    作用部
１２１  発熱部
１２１ａ  発熱板
１２１ｂ  断熱防護体
１２１ｃ  前部
１２１ｄ  後部
１２２  発熱部
１２２ａ  発熱板
１２２ｂ  断熱防護体
１２２ｃ  前部
１２２ｄ  後部
２      ヘアアイロン
２１    柄部
２２    作用部
３      ヘアアイロン
３１    柄部
３２    作用部
４      ヘアアイロン
４１    柄部
４２    作用部
５      ヘアアイロン
５１    柄部
５２    作用部
６      ヘアアイロン
６１    柄部
６２    作用部
Ａ１    柄部
Ａ１１  柄
Ａ１２  柄
Ａ２    柄部
Ａ２１  柄
Ａ２２  柄
Ｃ      使用者
Ｃ１    中心線
Ｃ２    中心線
Ｃ２１  中心線
Ｃ２２  中心線
Ｃ３１  中心線
Ｃ３２  中心線
Ｃ４１  中心線
Ｃ４２  中心線
Ｃ５１  中心線
Ｃ５２  中心線
Ｃ６１  中心線
Ｃ６２  中心線
ＣＤ    電源コード
ＣＭ    櫛
ＣＰ    中心線
ＣＨ１  中心線
ＣＨ２  中心線
ＥＬ    肘
Ｇ１１  断熱防護体
Ｇ１２  断熱防護体
Ｇ２１  断熱防護体
Ｇ２２  断熱防護体
Ｈ１    ヘアアイロン
Ｈ２    ヘアアイロン
Ｍ      被術者
Ｍ１    中間部
Ｎ１    作用部
Ｎ１１  発熱部
Ｎ１２  発熱部
Ｎ２    作用部
Ｎ２１  発熱部
Ｎ２２  発熱部
Ｐ      パネル
Ｐ１１  発熱板
Ｐ１２  発熱板
Ｐ２１  発熱板
Ｐ２２  発熱板
ＰＵ    プラグ
Ｒ１１  作用腕
Ｒ１２  作用腕
ＲＵ    上腕部
Ｓ１    バネ
ＳＨ    肩
ＳＷ    スイッチ
ＴＨ    温度調節機構
Ｘ１    枢軸
ｍ１    中間部
ａ      方向
ｂ      方向
ｃ      方向
ｒ１１  作用腕
ｒ１２  作用腕
ｒ２１  作用腕
ｒ２２  作用腕
ｓ１    バネ
ｓ２    バネ
ｘ１    枢軸
ｘ２    枢軸
α      角度
β      角度
【図１】
2007190048.tif 000003
【図２】
2007190048.tif 000004
【図３】
2007190048.tif 000005
【図４】
2007190048.tif 000006
【図５】
2007190048.tif 000007
【図６】
2007190048.tif 000008
【図７】
2007190048.tif 000009
【図８】
2007190048.tif 000010
【図９】
2007190048.tif 000011
【図１０】
2007190048.tif 000012
【図１１】
2007190048.tif 000013
【図１２】
2007190048.tif 000014
【図１３】
2007190048.tif 000015
【図１４】
2007190048.tif 000016
【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
上下２枚の発熱板にて頭髪を挾扼して整髪する整髪用のヘアアイロンにおいて、上下２枚の発熱板が完全に閉じられて当接する状態で上下２枚の発熱板の当接面を水平に位置させた場合に、ヘアアイロン全体の屈曲点を枢軸のやや前方に位置させて、直線形状を成す柄部に対して傾斜状に形成させた作用部を、発熱板が配設された作用部の長手方向の中心線と、使用者が手に把持する柄部の長手方向の中心線が、平面視で５°〜２５°の範囲内の角度をなすように構成されていることを特徴とするヘアアイロン。
【請求項２】
上下２枚の発熱板が完全に閉じられて当接する状態で上下２枚の発熱板の当接面を水平に位置させた場合に、ヘアアイロン全体の屈曲点を枢軸のやや前方に位置させて、直線形状を成す柄部に対して傾斜状に形成させた作用部を、発熱板が配設された作用部の長手方向の中心線と、使用者が手に把持する柄部の長手方向の中心線が、平面視で７°〜１５°の範囲内の角度をなすように構成されていることを特徴とする請求項１に記載のヘアアイロン。
【請求項３】
上下２枚の発熱板が完全に閉じられて当接する状態で上下２枚の発熱板の当接面を水平に位置させた場合に、ヘアアイロン全体の屈曲点を枢軸のやや前方に位置させて、直線形状を成す柄部に対して傾斜状に形成させた作用部を、発熱板が配設された作用部の長手方向の中心線と、使用者が手に把持する柄部の長手方向の中心線が、平面視で８°〜１０°の範囲内の角度をなすように構成されていることを特徴とする請求項２に記載のヘアアイロン。
【手続補正２】
【補正対象書類名】明細書
【補正対象項目名】０００１
【補正方法】変更
【補正の内容】
【０００１】
本発明は、整髪用のヘアアイロンに関するものであり、さらに詳しくは、上下２枚の発熱板にて頭髪を挾扼して整髪する整髪用のヘアアイロンにおいて、上下２枚の発熱板が完全に閉じられて当接する状態で上下２枚の発熱板の当接面を水平に位置させた場合に、ヘアアイロン全体の屈曲点を枢軸のやや前方に位置させて、直線形状を成す柄部に対して傾斜状に形成させた作用部を、発熱板が配設された作用部の長手方向の中心線と、使用者が手に把持する柄部の長手方向の中心線が、平面視で５°〜２５°の範囲内の角度をなすように構成されていることを特徴とするヘアアイロンに関するものである。
【手続補正３】
【補正対象書類名】明細書
【補正対象項目名】００１６
【補正方法】変更
【補正の内容】
【００１６】
本発明は、上記課題を解決するためになされたものであり、以下に示す解決手段を提供するものである。
＜解決手段１＞
上下２枚の発熱板にて頭髪を挾扼して整髪する整髪用のヘアアイロンにおいて、上下２枚の発熱板が完全に閉じられて当接する状態で上下２枚の発熱板の当接面を水平に位置させた場合に、ヘアアイロン全体の屈曲点を枢軸のやや前方に位置させて、直線形状を成す柄部に対して傾斜状に形成させた作用部を、発熱板が配設された作用部の長手方向の中心線と、使用者が手に把持する柄部の長手方向の中心線が、平面視で５°〜２５°の範囲内の角度をなすように構成されていることを特徴とするヘアアイロン。
＜解決手段２＞
上下２枚の発熱板が完全に閉じられて当接する状態で上下２枚の発熱板の当接面を水平に位置させた場合に、ヘアアイロン全体の屈曲点を枢軸のやや前方に位置させて、直線形状を成す柄部に対して傾斜状に形成させた作用部を、発熱板が配設された作用部の長手方向の中心線と、使用者が手に把持する柄部の長手方向の中心線が、平面視で７°〜１５°の範囲内の角度をなすように構成されていることを特徴とする解決手段１に記載のヘアアイロン。
＜解決手段３＞
上下２枚の発熱板が完全に閉じられて当接する状態で上下２枚の発熱板の当接面を水平に位置させた場合に、ヘアアイロン全体の屈曲点を枢軸のやや前方に位置させて、直線形状を成す柄部に対して傾斜状に形成させた作用部を、発熱板が配設された作用部の長手方向の中心線と、使用者が手に把持する柄部の長手方向の中心線が、平面視で８°〜１０°の範囲内の角度をなすように構成されていることを特徴とする解決手段２に記載のヘアアイロン。
【手続補正４】
【補正対象書類名】明細書
【補正対象項目名】００２０
【補正方法】変更
【補正の内容】
【００２０】
さらに、５°〜２５°の範囲の中でも多くの理美容師やその見習いの人達に好まれた角度の範囲は７°〜１５°の間であったので、ヘアアイロン全体の屈曲点を枢軸のやや前方に位置させて、直線形状を成す柄部に対して傾斜状に形成させた作用部を、柄部と作用部のなす角度がこの７°〜１５°の間に入る構成のヘアアイロンを解決手段２の発明とした。さらにこの中でも、最も多くの理美容師やその見習いの人達に好まれた角度は９°前後であったので、柄部と作用部のなす角度が９°±１°である８°〜１０°の間に入る構成のヘアアイロンを解決手段３の発明とした。
【手続補正５】
【補正対象書類名】明細書
【補正対象項目名】００２１
【補正方法】変更
【補正の内容】
【００２１】
本発明の解決手段１〜３の発明によれば、柄部と作用部のなす角度、すなわち発熱板が配設された作用部の長手方向の中心線と、使用者が手に把持する柄部の長手方向の中心線の交差角度を従来のヘアアイロンのように０°とするのではなく、一定範囲の角度とすることによって、即ち、ヘアアイロン全体の屈曲点を枢軸のやや前方に位置させて、直線形状を成す柄部に対して傾斜状に形成させた作用部を、柄部の長手方向の中心線と作用部の長手方向の中心線の交差角度を５°〜２５°の範囲内のものとするという構成としたゆえ、使用者の姿勢の崩れから生じる柄部と作用部のなす角度の直角からの誤差がこの部分で吸収されるので、結果として、使用者が楽な姿勢で作業を行っても、作用部の長手方向の中心線がパネルの長手方向の中心線と直交するように保持される。
【手続補正６】
【補正対象書類名】明細書
【補正対象項目名】００４３
【補正方法】変更
【補正の内容】
【００４３】
叙上のように本発明のヘアアイロンは、理容業界、美容業界において幅広く行われているヘアアイロンによる整髪作業において、作業効率の上昇と使用者の疲労感の大幅な減少を実現し、かつ、理美容術の学習者においても顕著な学習効果を齎すものである。特に、本発明のヘアアイロンの最大の特徴は、本発明の要旨となる構成、すなわち、ヘアアイロン全体の屈曲点を枢軸のやや前方に位置させて、直線形状を成す柄部に対して傾斜状に形成させた作用部を、柄部の長手方向の中心線と作用部の長手方向の中心線の交差角度を５°〜２５°の範囲内のものとするという構成が、従来のあらゆる構成のヘアアイロンに対して応用可能であるという点であり、この点において、産業上多大な貢献が可能であるものといい得る。